(57)【要約】【課題】自動的に弁の開閉が瞬時に行われ、低真空状態にした真空保管袋内に空気が入り込むことがなく、しかも真空保管袋への取り付けを簡単なものにした空気排出口を提供する。【解決手段】真空保管袋に取り付けられる胴体１００  と、前記胴体１００  の空気通路２０８  を開閉する弁体２００  でなる真空保管袋の空気排出口であり、前記胴体１００  は真空保管袋ヘの取付けが容易であるよう固定板１１２  を形成した第１胴体１１０  と、前記弁体２００  を固定するための固定端１２２  を備える第２胴体１２０  との結合でなり、前記空気通路２０８  の中心に半球形突出部１１６  を備え、前記弁体２００  には前記半球形突出部１１６  に対応する通孔を形成し、空気排出口の開閉が前記半球形突出部１１６  を中心にその周囲で行われるようにし、前記弁体２００  は胴体２０１  の下板２０４  が第１胴体１１０  の固定端１１３  と第２胴体１２０  の固定端１２２  の間に挟まれることにより固定されるようにしている。【選択図】        図３
2004314993.tif 000002
【特許請求の範囲】
【請求項１】
空気通路を形成しており真空保管袋に取り付けられる胴体と、前記胴体の空気通路を開閉する弁体でなる真空保管袋の空気排出口であり、前記胴体は真空保管袋ヘの取付けが容易であるよう固定板を形成した第１胴体と、前記弁体を固定するための固定端を備える第２胴体との結合でなり、前記空気通路の中心に半球形突出部を備え、前記弁体には前記半球形突出部に対応する通孔を形成し、空気排出口の開閉が前記半球形突出部を中心にその周囲で行われるようにし、前記第１胴体と第２胴体との結合は両胴体の嵌合により行われるようにし、前記弁体は胴体の下板が第１胴体の固定端と第２胴体の固定端の間に挟まれることにより固定されることを特徴とする真空保管袋の空気排出口。
【請求項２】
空気通路を形成しており真空保管袋に取り付けられる胴体と、前記胴体の空気通路を開閉する弁体でなる真空保管袋の空気排出口であり、前記胴体は真空保管袋ヘの取付けが容易であるよう固定板を形成した第１胴体と、前記弁体を固定するための固定端を備える第２胴体との結合でなり、前記第１胴体の底面には空気排出口が吸着により閉鎖されることを防ぐための複数の翼部を備え、前記空気通路の中心に前記翼部と一体に半球形突出部を備え、前記弁体には前記半球形突出部に対応する通孔を形成し、空気排出口の開閉が前記半球形突出部を中心にその周囲で行われるようにし、前記第１胴体と第２胴体との結合は両胴体の嵌合により行われるようにし、前記弁体は胴体の外周面で形成されている下板が第１胴体の固定端と第２胴体の固定端の間に挟まれることにより固定されることを特徴とする真空保管袋の空気排出口。
【請求項３】
前記第１胴体と第２胴体の結合を、第１胴体の内周に形成した内周溝に第２胴体の外周に形成した外周リブを嵌合させることにより行われるようにしたことを特徴とする請求項１または２記載の真空保管袋の空気排出口。
【請求項４】
真空掃除機の吸入口と接触する前記弁体の上部は弾性材質でなり、前記真空掃除機の吸入口と密着できるようにしたことを特徴とする請求項１または２に記載の空気排出口。
【発明の詳細な説明】
【０００１】
【発明の属する技術分野】
この発明は真空保管袋の空気排出口に関し、より詳しくは空気の排出と遮断を調節する弁体の取り付け構造を改善し、真空保管袋への取り付けを簡単なものにした空気排出口に関する。
【０００２】
【従来の技術】
一般に寝具類、衣類等は保管時に大きい収納空間を占ながら、湿気によって黴が発生し、虫がつくなど保管上の問題点がある。
【０００３】
このような寝具類及び衣類等を安全且つ効率的に保管するためのものが真空保管袋である。真空保管袋は開閉可能な入口部を備え、所定位置に空気を排出するための空気排出口を備え、寝具類や衣類等を前記真空保管袋の入口部を開封して収納したあと入口を閉じ、前記空気排出口に真空掃除機を連結して真空掃除機の吸引力で真空保管袋内部の空気を外に排出させ、寝具類や衣類の嵩を減少させるものである。
【０００４】
図６及び図７は、それぞれ従来の真空保管袋の空気排出口を示す斜視図と断面図である。
【０００５】
図示されているように、従来の真空保管袋の空気排出口は、真空保管袋１の取付孔１ａにこの真空保管袋１の内部から差し込まれるソケット２、ソケット２のフランジ２ａを真空保管袋１の外部から覆うカバー３、ソケット２の円筒部２ｂの内周に捩じ込まれるキャップ４よりなる。前記ソケット２のフランジ部２ａの下方には、放射状に配列した空気案内体５を設け、さらにソケット２の円筒部２ｂの略中央には、空気排出孔６を設けると共に、この空気排出孔６の周囲に弁座２ｃを設けている。前記キャップ４には、差込溝７および貫通孔８を設けると共に、キャップ４の凹部４ａの周端に前記弁座２ｃに当接するＯリング９を装着したものとしている（特許文献１参照）。
【０００６】
このように構成した従来の真空保管袋の空気排出口は、図８に示したように、ソケット２へのキャップ４の捩じ込みを緩め、弁座２ｃとＯリング９の間に隙間Ｓを生じさせる。この状態で、キャップ４の差込溝７に真空掃除機の吸入口Ｈを差し込み、真空掃除機を作動させて真空保管袋１内に存在する空気を排出する。そして、真空保管袋１内が低真空状態になったとき、吸入口Ｈをキャップ４の差込溝７から抜き取り、キャップ４をソケット２に捩じ込むと、弁座２ｃのＯリング９が着座し、両者間の隙間Ｓは閉鎖され、真空保管袋１内は低真空状態に保たれることになる。
【０００７】
【特許文献１】
実公平７−１２３０８号公報（第２ページ、第１、２、５図）
【０００８】
【発明が解決しようとする課題】
上記従来の真空保管袋の空気排出口は、Ｏリング９を使用しているため、このＯリング９が反り返ることなく、Ｏリング９による密閉は完全なものとなり、空気漏れが生ずる虞れのないものとなるが、弁座２ｃとＯリング９の間に隙間Ｓを生じさせたり、この隙間Ｓを閉鎖するのに、ソケット２にキャップ４を捩じ込んだり、緩めたりしなければならないので、この捩じ込んだり、緩めたりする操作が非常に面倒であるという問題点を有していた。
【０００９】
さらに、従来の真空保管袋の空気排出口は、ソケット２にキャップ４を捩じ込む作業を素早く行わないと、真空保管袋１内に空気が入り込んでしまい、低真空状態が損なわれるという問題点を有していた。
【００１０】
そこで、この発明は、上記従来の問題点を解決することをその課題としており、キャップを捩じ込んだり、緩めたりしないでも、自動的に弁の開閉が瞬時に行われ、低真空状態にした真空保管袋内に空気が入り込むことがなく、しかも真空保管袋への取り付けを簡単なものにした空気排出口を提供することを目的としてなされたものである。
【００１１】
【課題を解決するための手段】
この発明に係る空気排出口は、空気通路２０８  を形成しており真空保管袋に取り付けられる胴体１００  と、前記胴体１００  の空気通路２０８  を開閉する弁体２００  でなる真空保管袋の空気排出口であり、前記胴体１００  は真空保管袋ヘの取付けが容易であるよう固定板１１２  を形成した第１胴体１１０  と、前記弁体２００  を固定するための固定端１２２  を備える第２胴体１２０  との結合でなり、前記空気通路２０８  の中心に半球形突出部１１６  を備え、前記弁体２００  には前記半球形突出部１１６  に対応する通孔を形成し、空気排出口の開閉が前記半球形突出部１１６  を中心にその周囲で行われるようにし、前記弁体２００  は胴体２０１  の下板２０４  が第１胴体１１０  の固定端１１３  と第２胴体１２０  の固定端１２２  の間に挟まれることにより固定されるようにしている。
【００１２】
さらに、この発明に係る空気排出口は、空気通路２０８  を形成しており真空保管袋に取り付けられる胴体１００  と、前記胴体１００  の空気通路２０８  を開閉する弁体２００  でなる真空保管袋の空気排出口であり、前記胴体１００  は真空保管袋ヘの取付けが容易であるよう固定板１１２  を形成した第１胴体１１０  と、前記弁体２００  を固定するための固定端１２２  を備える第２胴体１２０  との結合でなり、前記第１胴体１１０  の底面には空気排出口が吸着により閉鎖されることを防ぐための複数の翼部１１４  を備え、前記空気通路２０８  の中心に前記翼部１１４  と一体に半球形突出部１１６  を備え、前記弁体２００  には前記半球形突出部１１６  に対応する通孔を形成し、空気排出口の開閉が前記半球形突出部１１６  を中心にその周囲で行われるようにし、前記弁体２００  は胴体２０１  の外周面で形成されている下板２０４  が第１胴体１１０  の固定端１１３  と第２胴体１２０  の固定端１２２  の間に挟まれることにより固定されるようにすることができる。
【００１３】
前記第１胴体１１０  と第２胴体１２０  の結合は、第１胴体１１０  の内周に形成した内周溝１１１  に第２胴体１２０  の外周に形成した外周リブ１１５  を嵌合させることにより行われるようにしている。
【００１４】
前記弁体２００  は、真空掃除機の吸入口３００  と接触する上部が弾性材質でなり、前記真空掃除機の吸入口３００  と密着できるようにするのが好ましい。
【００１５】
【発明の実施の形態】
以下、この発明の好ましい実施の形態を図面等に基づき詳しく説明する。
図１は、この発明に係る真空保管袋の空気排出口の斜視図である。図２は、この発明に係る真空保管袋の空気排出口の底面図である。
【００１６】
図示されているように、この発明に係る真空保管袋の空気排出口は空気通路を形成している胴体１００  と、前記胴体１００  に形成された空気通路を開閉するよう弾性材質でなる弁体２００  とで構成され、前記胴体１００  はその外周に所定面積を有する円板型の固定板１１２  を備え、前記固定板１１２  を保管袋の所定部位に密着して空気排出口を固定するようにする。さらに、前記胴体１００  はその内周に弁体２００  を固定するための固定端１１３  を備えている。
【００１７】
この発明の空気排出口の空気通路の中心には半球形突出部１１６  を備え、前記空気通路がドーナツ形をかたどることになり、これに伴い空気通路を開閉するための弁体２００  の開閉片２０６  も前記半球形突出部１１６  に対応する通孔を形成している。このような開閉片の動作は、図３、４を参照して後述する。
【００１８】
図２は、この発明に係る空気排出口の底面を示しているが、底面には前述した空気通路が真空保管袋内部に保管された内容物により詰まるのを防ぐため、下方に形成されている翼部１１４  を備えている。前記翼部１１４  は、空気排出口の中心から放射状に形成されており、その中心部分が半球形突出部１１６  と一体に形成されている。
【００１９】
図３は、翼部を通過しないＡ−Ａ線に沿った断面図である。図４は、翼部を通過するＢ−Ｂ線に沿った断面図である。
【００２０】
空気排出口の胴体１００  は、真空保管袋に取り付けられる固定板１１２  と、空気通路２０８  の閉鎖を防ぐ放射線状の翼部１１４  、及びこれと一体に形成された半球形突出部１１６  を備える第１胴体１１０  と、弁体２００  と結合するための固定端１２２  を形成している第２胴体１２０  との結合で構成されている。第１胴体１１０  と第２胴体１２０  を結合させるには、第１胴体１１０  の内周に形成した内周溝１１１  に第２胴体１２０  の外周に形成した外周リブ１１５  を嵌合させることにより行われる。
【００２１】
弾性材質で作成される弁体２００  は円筒状の胴体２０１  と、前記胴体２０１  の内側に引き出されて形成され中央には半球形突出部１１６  に対応する通孔を備えている開閉片２０６  、前記胴体２０１  の下面に外側に引き出されて形成された下板２０４  で構成される。このような弁体２００  の固定は、胴体２０１  の外周面で形成されている前記下板２０４  が第１胴体１１０  の固定端１１３  と第２胴体１２０  の固定端１２２  の間に挟まれることにより行われる。すなわち、弁体２００  を第１胴体１１０  と第２胴体１２０  の間に介在させて、第１胴体１１０  と第２胴体１２０  を結合させれば、弁体２００  が第１胴体１１０  と第２胴体１２０  の間に簡単に固定されることになる。したがって、この発明に係る空気排出口の構成部材である第１胴体１１０  、第２胴体１２０  及び弁体２００  の組み立てが簡単に行われ、空気排出口を真空保管袋へ簡単に取り付けることができるものとなる。
【００２２】
点線で示した図３の図面符号２０６ａは、開閉片２０６  が開放された状態を示している。図示されているように、開閉片２０６  の開放は真空掃除機の吸入口３００  側に開閉片２０６  の通孔部位が吸い上げられることにより行われることになるが、このような開放の形態により通孔周囲の開閉片部材等が全て変形することになり、これにより優れた復元力を持つことになる。さらに、この発明は開閉片２０６  の開放が空気通路２０８  の中心部分で行われるようにすることにより、吸引時の空気抵抗も減少することになる。
【００２３】
【発明の効果】
この発明に係る真空保管袋の空気排出口は、以上に述べたように構成されているので、キャップを捩じ込んだり、緩めたりしないでも、自動的に弁の開閉が瞬時に行われ、低真空状態にした真空保管袋内に空気が入り込むことがなく、しかも真空保管袋への取り付けが簡単なものとなる。
【００２４】
さらに、この発明に係る真空保管袋の空気排出口は、弁体が中央の通孔を形成しており、前記通孔が拡大されながら上部に湾曲すると共に弁体の開放が行われることになるので、開放時に前記通孔の周辺部は通孔拡大による変形と上部に湾曲する変形を全て受けることになるので強力な復元力を有することになり、真空掃除機の吸入口が除去されると速やかに原形に復元され密閉力も向上するという効果がある。
【００２５】
さらに、空気の吸引が弁体の外周面でない中心の半球形突出部を中心に行われることになるので、吸引時の空気抵抗が減少されて吸引作業の効率を向上させるという効果も得る。
【図面の簡単な説明】
【図１】この発明に係る空気排出口の斜視図である。
【図２】この発明に係る空気排出口の底面図である。
【図３】図２のＡ−Ａ線に沿う断面図である。
【図４】図２のＢ−Ｂ線に沿う断面図である。
【図５】この発明に係る空気排出口の分解斜視図である。
【図６】従来の空気排出口を示す斜視図である。
【図７】従来の空気排出口の断面図である。
【図８】従来の空気排出口の弁座とＯリングの間に隙間を生じさせた状態の断面図である。
【符号の説明】
１００  胴体
１１０  第１胴体
１１１  内周溝
１１２  固定板
１１３  固定端
１１４  翼部
１１５  外周リブ
１１６  半球形突出部
１２０  第２胴体
１２２  固定端
２００  弁体
２０１  胴体
２０４  下板
２０８  空気通路
３００  吸入口
【図１】
2004314993.tif 000003
【図２】
2004314993.tif 000004
【図３】
2004314993.tif 000005
【図４】
2004314993.tif 000006
【図５】
2004314993.tif 000007
【図６】
2004314993.tif 000008
【図７】
2004314993.tif 000009
【図８】
2004314993.tif 000010